(57)【要約】      （修正有）【課題】温風供給ダクトの破損を防止すると共に、この表面から放熱される熱を有効に利用して、洗濯物の乾燥も行なうことができる温風供給ダクトガードを提供する。【解決手段】石油ファンストーブ２の前面の温風吹き出し口２Ａに対向して、温風流入側が配置され、温風排出側がこたつ３内に挿着された、可撓性を有する蛇腹状の温風供給ダクト４を設けて、石油ファンストーブ２の温風でこたつ３の暖房を行なう暖房装置において、格子状に形成した右側枠１１、左側枠、前側枠、後側枠および上面枠を組み立てて、底面を開口したボックス状に形成した温風供給ダクトガード１を、温風供給ダクト４の温風流入側からこたつ３までの間を囲んで被せるようにした。【選択図】図１
0003140284.tif 000002
【実用新案登録請求の範囲】
【請求項１】
ファンストーブ前面の温風吹き出し口に対向して、温風流入側が配置され、温風排出側がこたつ内に挿着された、可撓性を有する蛇腹状の温風供給ダクトを設けて、ストーブの温風でこたつの暖房を行なう暖房装置において、前記温風供給ダクトの温風流入側からこたつまでの間を囲んで被せるように、格子状に形成した側枠と上面枠を組み立てて、底面を開口したボックス状に形成され、温風供給ダクトの保護と洗濯物の物干しを兼ねたことを特徴とする温風供給ダクトガード。
【請求項２】
格子状の側枠と上面枠を折り畳み自在に連結して、ボックス状に組み立てるようにしたことを特徴とする請求項１記載の温風供給ダクトガード。
【請求項３】
格子状の側枠と上面枠でボックス状に形成された上面枠に、吊り下げフックを取付けたことを特徴とする請求項１記載の温風供給ダクトガード。
【考案の詳細な説明】
【技術分野】
【０００１】
本考案は、ファンストーブ前面の温風吹き出し口に対向して配置された、蛇腹状の温風供給ダクトをこたつに挿入して、ストーブの温風でこたつの暖房を行なう温風供給ダクトを保護する温風供給ダクトガードに関するものである。
【背景技術】
【０００２】
近年の灯油価格の高騰が続き、省エネルギー化を図るため、電気こたつの電源を遮断するか、低温度に設定し、部屋全体に暖房を行なう石油ファンストーブを運転して、この前面の温風吹き出し口に対向して、蛇腹状の温風供給ダクトを配置し、このダクトの温風排出側をこたつ内に挿着してストーブの温風でこたつの暖房を行なうことが多く行なわれるになってきた（特許文献１）。
【０００３】
しかしながら、蛇腹状の温風供給ダクトは、プラスチックやアルミニウムで形成されているので、畳や床の上に置いた状態で、こたつへの出入りに度に、温風供給ダクトを過って足で踏んで潰したり破損したり、足を引っ掛けて転倒する危険性があった。
【特許文献１】特開平２ー１０９９６６号公報
【考案の開示】
【考案が解決しようとする課題】
【０００４】
本考案は上記問題を改善し、温風供給ダクトの破損を防止すると共に、この表面から放熱される熱を有効に利用して、洗濯物の乾燥も行なうことができる温風供給ダクトガードを提供するものである。
【課題を解決するための手段】
【０００５】
本考案の請求項１記載の温風供給ダクトガードは、ファンストーブ前面の温風吹き出し口に対向して、温風流入側が配置され、温風排出側がこたつ内に挿着された、可撓性を有する蛇腹状の温風供給ダクトを設けて、ストーブの温風でこたつの暖房を行なう暖房装置において、前記温風供給ダクトの温風流入側からこたつまでの間を囲んで被せるように、格子状に形成した側枠と上面枠を組み立てて、底面を開口したボックス状に形成され、温風供給ダクトの保護と洗濯物の物干しを兼ねたことを特徴とするものである。
【０００６】
本考案の請求項２記載の温風供給ダクトガードは、請求項１において、格子状の側枠と上面枠を折り畳み自在に連結して、ボックス状に組み立てるようにしたことを特徴とするものである。
【０００７】
本考案の請求項３記載の温風供給ダクトガードは、請求項１において、格子状の側枠と上面枠でボックス状に形成された上面枠に、吊り下げフックを取付けたことを特徴とするものである。
【考案の効果】
【０００８】
本考案に係る請求項１記載の温風供給ダクトガードによれば、格子状に形成した側枠と上面枠を組み立てて、底面を開口したボックス状に形成されているので、軽量で持ち運びが容易で、温風供給ダクトへの取り付けも簡単で、過って足で踏んで潰したり破損したりする事がなく、また足を引っ掛けて転倒することがない。
【０００９】
また温風供給ダクト内は、ファンストーブから排出される高温の温風が通過しているので、ダクト表面からも放熱して周囲が暖まっており、ここを囲うように取付けた格子状の温風供給ダクトガードに洗濯物を広げて干したり、フック付き洗濯ばさみで吊るして干すことができる。
【００１０】
また請求項２記載の温風供給ダクトガードによれば、格子状の側枠と上面枠を折り畳み自在に連結して、ボックス状に組み立てるようにしたので、使用しない時は折り畳んでコンパクトにして保管することができる。
【００１１】
また請求項３記載の温風供給ダクトガードによれば、上面枠に吊り下げフックを取付けたので、屋外の物干し竿にもそのまま吊り下げて物干しハンガーとしても使用することができる。
【考案を実施するための最良の形態】
【００１２】
以下本考案の実施の一形態を図１ないし図４を参照して詳細に説明する。図において１は温風供給ダクトガードを示すもので、２は石油ファンストーブ、３はこたつ、４は温風供給ダクトである。温風供給ダクト４はプラスチックやアルミニウムで可撓性を有する蛇腹状に形成されて、石油ファンストーブ２側にスタンド５が取付けられている。
【００１３】
前記温風供給ダクトガード１は図２に示すように、例えば針金やプラスチック被覆した針金を格子状に組合せた右側枠１１と左側枠１２、上面枠１３、および前側枠１４と後側枠１５とで構成され、これらは円筒状のヒンジ連結具１７で回動自在に連結されて折り畳めるようになっている。また前側枠１４と後側枠１５の下部側中央は正方形状に切欠されてダクト挿入開口部１８が形成されている。また上面枠１３の中央部分には吊り下げフック１９が取付けられている。
【００１４】
右側枠１１と左側枠１２、上面枠１３、および前側枠１４と後側枠１５とは、ヒンジ連結具１７で回動自在に連結されているので、折り畳んだ状態から広げて起し、更に右側枠１１と左側枠１２の前後端と、これと隣接する前側枠１４と後側枠１５の左右両端とに連結固定具２０を嵌め込んで固定してボックス状に組み立てる。
【００１５】
次に図１に示すように、石油ファンストーブ２の温風吹き出し口２Ａに対向して、温風流入側が配置され、温風排出側がこたつ３内に挿着された温風供給ダクト４の、温風流入側からこたつ３までの間の上から、組み立てた温風供給ダクトガード１を前側枠１４と後側枠１５に形成したダクト挿入開口部１８に通して上から被せる。
【００１６】
上記構成の温風供給ダクトガード１は、石油ファンストーブ２の温風流入側からこたつ３までの間の温風供給ダクト４の上に被せることにより、ここが保護されているので、過って足で踏んで潰したり破損したりする事がなく、また足を引っ掛けて転倒することがない。
【００１７】
また温風供給ダクト４内は、石油ファンストーブ２からの高温の温風が通過しているのでダクト表面からも放熱して、周囲が暖まっているので、図３に示すように温風供給ダクトガード１の上にタオルなどの洗濯物２１を広げて干したり、フック付き洗濯ばさみ２２に靴下などの小物の洗濯物２１を挟んでフックを格子部分に下げることにより、洗濯物２１の乾燥も同時に行うことができる。
【００１８】
また天気が良い時には、温風供給ダクトガード１を持ち上げて、温風供給ダクト４から取り外し、図４に示すように屋外の物干し竿２３に、温風供給ダクトガード１の上面に取付けた吊り下げフック１９を掛けることにより、物干しハンガーとして太陽光で乾燥させることができる。逆に屋外で干していて、雨や雪が降ってきた場合には、物干し竿２３から外してそのまま温風供給ダクト４の上に被せて乾燥させることができる。
【００１９】
なお上記説明では、前側枠１４と後側枠１５に正方形状のダクト挿入開口部１８を形成した場合について示したが逆Ｕ字形でも良く、また前側枠１４と後側枠１５の縦方向の長さを短く形成して、この下方を温風供給ダクト４が通るようにしても良い。また前側枠１４と後側枠１５を設けずに、右側枠１１と左側枠１２および上面枠１３とを補強ステーで連結した構造でも良い。
【図面の簡単な説明】
【００２０】
【図１】本考案の実施の一形態による温風供給ダクトガードを石油ファンストーブとこたつとの間の温風供給ダクトに被せた状態を示す説明図である。
【図２】図１の温風供給ダクトガードを示す斜視図である。
【図３】図２の温風供給ダクトガードを温風供給ダクトに被せて、洗濯物を干している状態を示す斜視図である。
【図４】図３の状態から、温風供給ダクトガードを物干しハンガーとして、屋外の物干し竿に吊り下げた状態を示す斜視図である。
【符号の説明】
【００２１】
１      温風供給ダクトガード                                
２      石油ファンストーブ  
２Ａ    温風吹き出し口
３      こたつ                                              
４      温風供給ダクト                                      
５      スタンド                                            
１１    右側枠                                              
１２    左側枠                                              
１３    上面枠                                              
１４    前側枠                                              
１５    後側枠                                              
１７    ヒンジ連結具                                        
１８    ダクト挿入開口部                                    
１９    吊り下げフック                                      
２０    連結固定具                                          
２１    洗濯物                                              
２２    フック付き洗濯ばさみ                                
２３    物干し竿
【図１】
0003140284.tif 000003
【図２】
0003140284.tif 000004
【図３】
0003140284.tif 000005
【図４】
0003140284.tif 000006